(57)【要約】  本開示に係る光学部品は、サファイアを含む基板を備えている。基板には、機能部と放熱部とが設けられている。基板の主面の傾きがサファイアのｃ面に対して７５°以上である。機能部および放熱部は、サファイアのｃ軸と機能部および放熱部を結ぶ線分とのなす角が１５°以下となるように設けられている。
2020166306.tif 000002
【特許請求の範囲】
【請求項１】
サファイアを含む基板を備え、
基板には、機能部と放熱部とが設けられており、
基板の主面の傾きがサファイアのｃ面に対して７５°以上であり、
機能部および放熱部は、サファイアのｃ軸と機能部および放熱部を結ぶ線分とのなす角が１５°以下となるように設けられている、
光学部品。
【請求項２】
前記機能部と前記放熱部とが同じ主面に設けられている請求項１に記載の光学部材。
【請求項３】
前記機能部が、入射光の一部を透過または吸収する光学フィルタ、反射防止膜、反射膜および蛍光体からなる群より選択される少なくとも１種である請求項２に記載の光学部品。
【請求項４】
異なる機能を有する複数の前記機能部が設けられ、複数の前記機能部のうち最も発熱量の大きい第１機能部が、前記放熱部が設けられた前記主面に設けられている請求項２または３に記載の光学部品。
【請求項５】
前記放熱部がサファイアよりも大きい熱伝導率を有する物質からなり、前記サファイアのｃ軸と平行な方向に延伸するように設けられている請求項１〜４のいずれかに記載の光学部品。
【請求項６】
前記主面を光が透過するレンズまたは波長板であり、前記主面において光路外に前記放熱部が設けられている請求項１に記載の光学部品。
【請求項７】
前記放熱部がアルミニウムの窒化物を含む請求項１〜６のいずれかに記載の光学部品。
【請求項８】
光源と、光源から放射される光の光路上に位置する請求項１〜７のいずれかに記載の光学部品とを備える画像表示装置。
【請求項９】
前記基板の外周部の少なくとも一部に、フレーム材がさらに取り付けられている請求項８に記載の画像表示装置。
【請求項１０】
前記主面が円形以外の形状を有しており、前記主面上において前記光路を通り前記基板の外周部間を結ぶ線分が最も短くなる方向と前記基板における前記サファイアのｃ軸とが略平行である請求項８または９に記載の画像表示装置。
【請求項１１】
前記主面が長方形状を有しており、前記主面の短辺方向と前記基板における前記サファイアのｃ軸とが略平行である請求項１０に記載の画像表示装置。
【請求項１２】
前記フレーム材が、前記基板の外周部の一部に取り付けられており、
前記主面において光路に位置する部分から前記フレーム材に向かう方向と、前記基板における前記サファイアのｃ軸とが略平行である請求項９に記載の画像表示装置。
【請求項１３】
前記主面に対して、前記サファイアのｃ軸方向に送風可能な送風部をさらに備える請求項９〜１２のいずれかに記載の画像表示装置。
【請求項１４】
前記送風部がシロッコファンである請求項１３に記載の画像表示装置。
【請求項１５】
請求項９〜１４のいずれかに記載の画像表示装置と、画像が表示される表示部とを備えるヘッドアップディスプレイ。
【発明の詳細な説明】
【技術分野】
【０００１】
本発明は、画像表示装置などの光学機器に用いられる光学部品およびこの光学部品を用いた画像表示装置、ヘッドアップディスプレイに関する。
【背景技術】
【０００２】
プロジェクタ装置（ＰＪ装置）、ヘッドアップディスプレイ装置（ＨＵＤ装置）などの画像表示装置は、液晶パネルなどの画像形成部に表示された画像情報を、光源および各種光学素子を用いて、壁、スクリーン、窓などに照射し、画像情報を使用者に視認させる装置である。このような画像表示装置には、種々の光学部品が備えられている。光学部品としては、例えば、レンズ、蛍光体が配置された蛍光板、偏光板、液晶を封止する封止ガラスなどが挙げられる。【０００３】
特許文献１には、車載用ＨＵＤ装置が記載されており、入射側偏光部材と出射側偏光部材との間に液晶セルを有する表示素子と、この表示素子に光を照射する光源とを備え、表示素子を透過した表示像を運転者の前方視野内に設けられた表示部材に投影して表示することが記載されている。特許文献１に記載の車載用ＨＵＤ装置は、液晶セルから表示部材までの間における表示像の光路に、表示像を透過するとともに出射側偏光部材と接する熱伝達部材（水晶放熱板）と、金属材料からなり熱伝達部材を保持する保持部材とを備えている。
【先行技術文献】
【特許文献】
【０００４】
【特許文献１】特開２００５−３１３７３３号公報
【発明の概要】
【０００５】
本開示に係る光学部品は、サファイアを含む基板を備えている。基板には、機能部と放熱部とが設けられている。基板の主面の傾きがサファイアのｃ面に対して７５°以上である。機能部および放熱部は、サファイアのｃ軸と機能部および放熱部を結ぶ線分とのなす角が１５°以下となるように設けられている。
【０００６】
本開示に係る画像表示装置は、光源と、光源から放射される光の光路上に位置する上記の光学部品とを備える。さらに、本開示に係るヘッドアップディスプレイは、この画像表示装置と、画像が表示される表示部とを備える。
【図面の簡単な説明】
【０００７】
【図１】本開示の一実施形態に係る光学部品を用いた画像表示装置を示す概略図である。
【図２】（Ａ）は、本開示の一実施形態に係る光学部品を説明するための説明図であり、（Ｂ）は、本開示の一実施形態に係る光学部品を（Ａ）に示す矢印Ａ方向から見た説明図である。
【図３】サファイアの結晶構造を示す説明図である。
【図４】本開示の一実施形態に係る光学部品が偏光板である場合の説明図であり、（Ａ）は平面図を示し、（Ｂ）は側面図を示す。
【図５】本開示の他の実施形態に係る光学部品が偏光板である場合の説明図であり、（Ａ）は平面図を示し、（Ｂ）は断面図を示す。
【発明を実施するための形態】
【０００８】
ＨＵＤ装置などの画像表示装置に使用される光学部品には、伝熱性および外部への放熱性を向上させることが求められている。近年、表示される画像の高密度化や高精細化が進んでいる画像表示装置においては、このような要求が強くなっている。本明細書において「光学部品」とは、入射する光の強度、色（波長）、位相、偏光または光の方向を制御する機能を有する部品を意味する。このような光学部品としては、例えば、蛍光板、波長フィルタ、波長板、偏光板、鏡、レンズなどが挙げられる。
【０００９】
本開示の光学部品は、主面の傾きがサファイアのｃ面に対して７５°以上であり、基板の主面とサファイアのｃ軸方向とがほぼ平行である。主面の傾きは最大で９０°であり、９０°の場合は基板の主面とｃ軸とが平行になる。サファイアはｃ軸に平行な方向に対して熱伝導率が高いため、基板の面方向の伝熱に有利となる。さらに、主面の少なくとも一方に放熱部を設けることによって、熱伝導率が高い方向である基板の面方向に効率よく放熱することができる。
【００１０】
本開示の一実施形態に係る光学部品を、図１〜４に基づいて説明する。図１には、本開示の一実施形態に係る光学部品を備えた画像表示装置（ＨＵＤ装置）１を示す。図１に示す画像表示装置１は、光源２、画像形成部３、偏光板４、レンズ５、鏡６、および出射窓７を備える。画像表示装置１を構成している部材のうち、偏光板４およびレンズ５が本開示の一実施形態に係る光学部品に相当する。画像表示装置（ＨＵＤ装置）１の詳細については後述する。
【００１１】
一実施形態に係る光学部品４’はサファイアを含み、図２に示すように、対向する主面を有する基板４０を備える。便宜上、対向する主面のうち一方を第１主面４０ａとし、他方を第２主面４０ｂと記載する場合がある。サファイアを含む基板４０としては、例えば、サファイア基板が挙げられる。サファイアとは、酸化アルミニウム（Ａｌ２Ｏ３）の単結晶である。サファイアは、優れた耐熱性、熱伝導性および放熱性を有しており、温度上昇を抑制し得るという特性も有している。基板４０の厚みは限定されない。機械的強度および放熱性をバランスよく満足させるために、基板４０は０．１ｍｍ以上１５ｍｍ以下程度の厚みを有していてもよい。
【００１２】
基板４０において、主面の傾きは、サファイアのｃ面に対して７５°以上である。ここで、サファイアの結晶面について説明する。図３は、サファイアの結晶構造を示す。図３（Ａ）〜（Ｄ）に示すように、サファイアは六方晶構造を有しており、代表的な結晶面として、ｃ面、ｍ面、ａ面およびｒ面が存在する。これらの面に垂直な軸を、それぞれｃ軸、ｍ軸、ａ軸およびｒ軸と称する。
【００１３】
「主面の傾きがサファイアのｃ面に対して７５°以上」とは、例えばサファイアインゴットを加工して基板４０を得る場合に、基板４０の主面（第１主面４０ａおよび第２主面４０ｂ）が図３（Ａ）に示すｃ軸と略平行であることを示す。すなわち、基板４０の主面が図３（Ａ）に示すｃ軸と、必ずしも平行に加工されていなくてもよく、サファイアのｃ面となす角が７５°以上である面が基板４０の主面であってもよい。基板４０において、主面の傾きがサファイアのｃ面に対して８５°以上であってもよい。主面が曲面であるときには、基板４０の厚み方向の断面視において、その曲がった表面に近似する平面とｃ面とのなす角が７５°以上であってもよい。近似する平面は、例えば最小二乗法により求められる最小二乗平面である。
【００１４】
図２に示すように、一実施形態に係る光学部品４’において、基板４０の第１主面４０ａに放熱部４１が設けられている。放熱部４１は、光学部品４’を備えたＨＵＤ装置１などにおいて、装置１を作動させた際に生じる熱や、装置１の外部から受ける熱などを効率よく逃がすために使用される。サファイアの熱伝導率は、ｃ軸に直交する方向よりもｃ軸に平行な方向が高い。そのため、熱はｃ軸方向（基板４０の面方向）に伝わりやすく、第１主面４０ａに設けられた放熱部４１を介して放熱される。
【００１５】
放熱部４１の形態は、特に限定されない。基板４０の放熱部４１以外の部分よりも熱抵抗が小さいか、または、外部の冷却機構によって冷却されることで、放熱が促進される部分を「放熱部」と称する。例えば、放熱部４１以外の部分よりも、単位投影面積当たりの表面積が大きい部分、表面粗さが大きい部分、熱伝導率が大きい部分、または、外部からの冷却風が当たる部分である。主面のうち金属材（金属箔など）などを配置した部分を放熱部４１としてもよく、主面の少なくとも一部を風が当たりやすくしたり、空気と接触しやすくしたり加工した部分を放熱部４１としてもよい。あるいは、表面積または表面粗さを大きくするために、主面に細線や凹凸などを形成して放熱部４１としてもよい。
【００１６】
このような放熱部４１は、光路内に配置できる点で、光源２からの光の透過率を低下させない大きさと形状、例えば入射光の反射率を低減させるような大きさと形状であるのがよい。サファイアの酸素の一部を窒素に置換するなどして、サファイア自体の熱伝導率を向上させた領域を放熱部４１としてもよい。サファイアの酸素の一部を窒素に置換したアルミニウムの窒化物としては、例えば、窒化アルミニウムおよび酸窒化アルミニウムが挙げられる。酸窒化アルミニウムは、構成元素として酸素と窒素とアルミニウムとを含む化合物または固溶体である。窒化アルミニウムおよび酸窒化アルミニウムは、熱伝導率が酸化アルミニウムよりも大きいので、放熱部４１として使用できる。窒化アルミニウムおよび酸窒化アルミニウムは、結晶であってもアモルファスであってもよく、結晶性が高いほど熱伝導率が高い。さらに、単結晶であれば、結晶粒界がないので光の透過率が高く、光路上に配置可能である。放熱部４１が、金属など光を透過しにくい材料からなる場合や、光を透過しにくい形状からなる場合は、光路の妨げとならない領域に、放熱部４１を配置するとよい。
【００１７】
基板４０において、放熱部４１が設けられた主面（図２においては第１主面４０ａ）には、機能部が設けられる。本明細書において「機能部」とは、入射する光の強度、色、位相、偏光または光の方向を制御する機能や補強する部分、入射する光を屈折させる機能などを意味する。機能部としては、具体的には、入射光の一部を透過または吸収する光学フィルタ、反射防止膜、反射膜、蛍光体、カラーホイールなどが挙げられる。このような機能部は、１種のみが設けられてもよく、２種以上が設けられてもよい。放熱部４１が設けられた主面と対向する主面（図２においては第２主面４０ｂ）に、さらに機能部が設けられていてもよい。
【００１８】
光学フィルタとしては、例えば、特定の波長域の光を透過または吸収する光学フィルタ（ＩＲカット膜など）、特定の偏光方向の光を透過または吸収する光学フィルタ（液晶、偏光子など）などが挙げられる。さらに、反射膜には、特定の波長の光が透過し、他の波長の光が反射するダイクロイック膜なども包含される。
【００１９】
一実施形態に係る光学部品４’において、機能部および放熱部４１は、サファイアのｃ軸と機能部および放熱部４１を結ぶ線分とのなす角が１５°以下となるように設けられている。具体的には、機能部の高温になりやすい部分から放熱部４１へと伝熱する方向の、サファイアのｃ軸とのなす角が１５°以下であればよい。例えば、機能部の中央部または光が照射される部分と放熱部４１とを最短距離で結ぶ線分が、サファイアのｃ軸とのなす角が１５°以下であるのがよい。
【００２０】
一実施形態に係る光学部品４’において、放熱部４１と機能部とが同じ主面に設けられているのがよい。そして、放熱部４１と機能部とがｃ軸と略平行に、つまり、機能部で発生した熱がｃ軸とほぼ方向な方向に抜熱されるように、配置されているのがよい。ここで「略平行」とは、機能部から放熱部４１に向かう方向とｃ軸とが完全に平行である必要はなく、この方向とｃ軸とが１５°以下の角度で交差するような場合も包含される。一般に、光学部品４’の機能部は、発熱したり、あるいは熱を吸収したりすることがあるため、熱くなりやすい。放熱部４１と機能部とが同じ主面に設けられている場合、熱はｃ軸と略平行である基板４０の主面に沿って伝わりやすく、放熱部４１を介して放熱されやすい。
【００２１】
２種以上の機能部が両主面に設けられる場合、最も発熱量の大きい機能部（第１機能部と記載する場合がある）は、放熱部４１が設けられた主面（図２においては第１主面４０ａ）に設けられているとよい。基板４０の主面がｃ軸と略平行であれば、熱は基板４０の主面に沿って伝わりやすく、第１機能部の熱が放熱部４１を介して放熱されやすい。
【００２２】
機能部について、一実施形態に係る光学部品４’が偏光板４である場合を例に挙げて具体的に説明する。図４（Ａ）および（Ｂ）に示すように偏光板４は、基板４０と、基板４０の第１主面４０ａに形成された放熱部４１と偏光子４２とを備える。偏光子４２は、例えば、複数の金属細線が間隙を設けて整列した構造を有している。
【００２３】
金属細線は金属で形成されていれば特に限定されず、金属としては、例えば、アルミニウム、銅、金、銀およびそれらの合金などが挙げられる。金属細線は、例えば、次のような方法で形成される。
【００２４】
まず、例えば蒸着法やスパッタ法などの成膜方法によって、基板４０の第１主面４０ａを金属膜で被覆する。次いで、金属膜の表面にレジスト膜を塗布して露光および現像し、レジストパターンを形成する。次いで、エッチャントを用いて金属膜を一定間隔のストライプ状にエッチング加工を施す。次いで、レジストパターンを除去して洗浄することによって、金属細線を基板４０の第１主面４０ａに形成することができる。
【００２５】
金属細線は、例えば、５０ｎｍ以上５００ｎｍ以下程度の厚みを有し、３０ｎｍ以上１５０ｎｍ以下程度の幅を有している。金属細線と金属細線との間隙の幅を透過光の波長よりも短く設定することで、透過光を直線偏光に変換することができ、偏光板４としての機能が発現する。金属細線と金属細線との間隙の幅は、通常６０ｎｍ以上３００ｎｍ以下程度である。
【００２６】
図４に示す形態の光学部品４’（偏光板４）のように、第１主面４０ａに第１機能部があるときに、第１主面４０ａに放熱部４１（第１形態）も形成されていてもよい。この場合、第１主面４０ａの一部または全部における表面粗さ（例えば算術平均粗さＲａ）を第２主面４０ｂにおける表面粗さよりも大きくしてもよい。第１主面４０ａの表面積を比較的大きくして、第１主面４０ａの少なくとも一部を、外部への放熱に有利な放熱部４１’とすることができる。この場合、放熱部４１’が光路上（平面視における主面の中央部分を含む）にあってもよい。表面粗さが多少大きくなったとしても、光学部品４’としての光学的な特性（例えば、透過率）を満足する範囲であれば、実用上は支障がない。放熱部の別の形態としては、例えば金属部材などの不透明な別体を放熱部４１’として、基板４０に取り付けた形態であってもよい（第２形態）。その一例を図５に示す。
【００２７】
図５に示す偏光板４では、基板４０の外周部にフレーム材（枠）が取り付けられている。図５に示す偏光板４では、この枠が放熱部４１’として作用し、放熱部４１’は光路外に位置している。第１主面４０ａに位置する機能部で発生した熱は、基板４０の主面に沿って効率よく外部に放熱される。この放熱は、放熱部４１’によりさらに促進される。この場合の放熱部４１’は、例えば図５に示すように、第１主面４０ａの外周部から基板の側面にかけて接するものでもよく、さらに第２主面４０ｂの外周まで接するものでもよい。
【００２８】
フレーム材は、図５に示すように基板４０の外周部全体を囲むように取り付けられていてもよく、基板４０の外周部の一部に取り付けられていてもよい。フレーム材が基板４０の外周部の一部に取り付けられる場合、基板４０の主面において光路に位置する部分からフレーム材に向かう方向と、基板４０におけるサファイアのｃ軸とが略平行であるのがよい。ここで「略平行」とは、光路に位置する部分からフレーム材に向かう方向とｃ軸とが完全に平行である必要はなく、この方向とｃ軸とが１５°以下の角度で交差するような場合も包含される。
【００２９】
一実施形態に係る光学部品４’は、レンズ５としても使用できる。光学部品４’をレンズ５として使用する場合は、基板４０を凹レンズまたは凸レンズに加工すればよい。光学部品４’をレンズ５として使用する場合、放熱部４１は、光路の妨げとならないように、主面（例えば第１主面４０ａ）の光路外に設けられる。
【００３０】
さらに、一実施形態に係る光学部品４’は、波長板としても使用できる。波長板は、複屈折（屈折率の異方性）を利用して偏光の異なる光に位相差をつけ、偏光状態を変える光学部品である。
【００３１】
一実施形態に係る光学部品４’は、例えば、光源２とともに画像表示装置１の部材として使用される。上述のように、図１に示す画像表示装置（ＨＵＤ装置）１では、画像形成部３、偏光板４およびレンズ５が本明細書における光学部品に相当する。また、出射窓７が機能部としてＩＲカット膜を備える場合も光学部品に相当する。そして、これら光学部品のうち、少なくとも一つ（例えば偏光板４）が、本開示の一実施形態に係る光学部品４’となっている。以下、本開示の一実施形態に係る画像表示装置１について、図１に示すＨＵＤ装置１である場合を例に挙げて具体的に説明する。上記のように、図１に示すＨＵＤ装置１は、光源２、画像形成部３、偏光板４、レンズ５、鏡６、および出射窓７を備える。偏光板４は、入射側偏光板４ａおよび出射側偏光板４ｂの２種類が使用されている。
【００３２】
図１に示すＨＵＤ装置１では、光源２に近い方から順に、入射側偏光板４ａ、画像形成部３、出射側偏光板４ｂ、レンズ５および鏡６が配置されている。図１において、光源２からの出射光を含む画像光の出射光路Ｌを、一点鎖線の矢印で示している。
【００３３】
偏光板４のうち入射側偏光板４ａは、光源２からの光を偏光して画像形成部３に入射するために使用される。入射側偏光板４ａでは、偏光子４２をサファイアよりも熱伝導率の大きい材料（例えば、アルミニウム、銅など）で形成することによって、より放熱性を向上させることができる。そして、特に、偏光子を格子の長手方向が、ｃ軸とほぼ平行に形成することによって、より放熱性を向上させることができる。画像形成部３としては、例えばねじれネマティック液晶（ＴＮ液晶）などの液晶パネルなどが挙げられる。
【００３４】
偏光板４のうち出射側偏光板４ｂは、画像形成部３から出射された画像光のうち、画像表示に不要な方向の偏光を遮断するために使用される。出射側偏光板４ｂについても、偏光子４２をサファイアよりも熱伝導率の大きい材料（例えば、アルミニウム、銅など）で形成することによって、より放熱性を向上させることができる。入射側偏光板４ａおよび出射側偏光板４ｂの偏光方向の組み合わせは、画像形成部３の種類によって適宜設定される。例えば、画像形成部３としてＴＮ液晶を使用する場合、入射側偏光板４ａと出射側偏光板４ｂとは偏光方向を９０°回転させて配置される。
【００３５】
出射側偏光板４ｂを透過した画像光は、レンズ５に入射される。ＨＵＤ装置１がレンズ５を備えていると、画像光を拡大することができる。画像光を拡大するためには、レンズ５は凸レンズである。レンズ５によって拡大された画像光は鏡６に反射し、出射窓７を介してＨＵＤ装置１の外部にある表示部（スクリーン）に投影される。表示部としては、例えば、ガラス、スクリーンなどが挙げられる。ＨＵＤ装置１が車載用のＨＵＤ装置１として使用される場合、表示部としては、例えば自動車のフロントガラス、リアガラス、窓などが挙げられる。
【００３６】
以上のように、一実施形態に係る光学部品４’は、主面の傾きがサファイアのｃ面に対して７５°以上であり、主面とサファイアのｃ軸方向とがほぼ平行である。サファイアはｃ軸に平行な方向に対して熱伝導率が高いため、基板の面方向の伝熱に有利となる。さらに、主面の少なくとも一方に放熱部４０を設けることによって、熱伝導率が高い方向である基板４０の面方向に効率よく放熱することができる。さらに、放熱部４１と機能部とをｃ軸に略平行、すなわち機能部で発生した熱がｃ軸と略平行な方向に抜熱されるように、配置することによって、効率よく放熱することができる。
【００３７】
一実施形態に係る光学部品４’を部材の１種として備えた画像表示装置１は、光学部品４’が有する優れた放熱性により、比較的高温となる条件下でも使用することができる。このような高温条件下で使用される画像表示装置１としては、車両、鉄道、船舶、航空機などの移動体に搭載される画像表示装置１や、屋外で使用される画像表示装置１、例えば、車載用のＨＵＤ装置１が挙げられる。
【００３８】
本開示の光学部品は上述の一実施形態に係る光学部品４’に限定されない。一実施形態に係る光学部品４’に使用される基板４０は、四角形状である。しかし、本開示の光学部品に使用される基板４０の形状は、例えば用途などによって適宜設定される。例えば、平面視した場合の主面の形状としては、三角形状、五角形状、六角形状など四角形状以外の多角形状や、円形状、楕円形状などが挙げられる。
【００３９】
平面視した場合の主面の形状は、これらの形状の中でも、基板を平面視した場合に、主面の外周部が主面の中心から等距離でない形状であるのがよい。具体的には、円形状以外の形状であるのがよく、特に長方形状であるのがよい。この場合、主面上において光路（主面の中央部）を通り外周部間を結ぶ線分が最も短くなる方向が、基板におけるサファイアのｃ軸と略平行であるのがよい。ここで「略平行」とは、この線分とｃ軸とが完全に平行である必要はなく、この線分の延長線とｃ軸とが１５°以下の角度で交差するような場合も包含される。基板を平面視した際に主面が長方形状を有する場合、この最も短くなる線分は短辺に相当する。
【００４０】
基板を平面視した際に主面が長方形状を有する場合、短辺がサファイアのｃ軸と略平行であるのがよい。この場合、放熱部は少なくとも長辺側に配置されるのがよい。短辺がサファイアのｃ軸と略平行であれば、例えば、設計上の都合などによって放熱部が基板の全周に設けられないような場合であっても、伝熱距離を短くすることができ、放熱性の観点で有利となる。
【００４１】
一実施形態に係る光学部品４’について、機能部が偏光子４２である場合を例に説明した。しかし、機能部は偏光子４２に限定されず、偏光子４２以外の光学フィルタや、反射防止膜、反射膜、蛍光体など、光学部品の用途に応じて機能部は適宜設定すればよい。
【００４２】
さらに、本開示に係る画像表示装置１は図１に示すＨＵＤ装置１に限定されない。本開示に係る画像表示装置１には、部材として使用されている光学部品を冷却するために、光学部品に対して送風可能な送風部が備えられていてもよい。具体的には、本開示の光学部品において、放熱部４１が設けられている主面に対して、サファイアのｃ軸方向に送風可能な送風部が備えられていてもよい。さらに、放熱部４１は、サファイアのｃ軸と略平行に延伸した形態であってもよい。この場合、サファイアのｃ軸と略平行な方向に送風する送風部が備えられていてもよい。
【００４３】
送風部としては、例えば、シロッコファン、プロペラファンなどが挙げられる。これらの中でも、シロッコファンは空気を送り出す力が強く、さらにファンの回転軸の方向と送風方向とが異なる。そのため、設置場所の自由度も高くなり、シロッコファンを使用してもよい。
【００４４】
本開示に係る画像表示装置は、上述の画像表示装置１に限定されない。例えば、光路を通過する光は光路の断面が２次元的な光に限らず、レーザ光などでも構わない。この場合の光学部品としては、例えば、レーザ光用蛍光板およびカラーホイールなどを挙げることができる。この形態の場合には、レーザ光の入射面積が比較的小さい（平面視における基板の面積に対して光路の範囲が比較的狭い）ため、放熱部４１の位置および形状などの設計の自由度向上が容易である。
【符号の説明】
【００４５】
１    画像表示装置（ＨＵＤ装置）
２    光源
３    画像形成部
４    偏光板
４’  光学部品
４ａ  入射側偏光板
４ｂ  出射側偏光板
４０  基板
４０ａ  第１主面
４０ｂ  第２主面
４１、４１’  放熱部
４２  偏光子
【図１】
2020166306.tif 000003
【図２】
2020166306.tif 000004
【図３】
2020166306.tif 000005
【図４】
2020166306.tif 000006
【図５】
2020166306.tif 000007
【国際調査報告】
2020166306.tif 000008
2020166306.tif 000009
2020166306.tif 000010
2020166306.tif 000011